(57)【要約】【課題】有機ＥＬ素子を光源とする発光モジュールにおいて、複数の発光モジュールを互いに隣接して配置した場合に、発光面の輝度むらを目立ち難くする。【解決手段】発光モジュール１は、矩形平板状の複数の光源部２と、これら光源部２を直線状に配置した状態で装着する長尺な矩形平板状のベース部３と、光源部２から出射された光を拡散する平面視矩形状の光学カバー４と、を備える。この構成によれば、光源部２の発光領域から出射された光の一部が、光学カバー４により拡散されて光源部２の非発光領域の正面方向に照射されるので、複数の発光モジュールを互いに隣接して配置した場合でも、発光面の輝度むらを目立ち難くすることができる。【選択図】図１
2015153592.tif 000002
【特許請求の範囲】
【請求項１】
矩形平板状の複数の光源部と、前記複数の光源部を直線状に配置した状態で装着する長尺な矩形平板状のベース部と、を備えた発光モジュールであって、
前記光源部から出射された光を拡散する平面視矩形状の光学カバーを更に備え、
前記光学カバー及び複数の光源部における前記ベース部の短辺と平行な辺の長さは、該ベース部の短辺の長さと等しく、
前記光学カバーは、前記複数の光源部を一括して覆っていることを特徴とする発光モジュール。
【請求項２】
前記複数の光源部又はベース部は、前記光学カバーの取り付けに用いられる取付部を有し、
前記光学カバーは、前記取付部に着脱可能に取り付けられる被取付部を有することを特徴とする請求項１に記載の発光モジュール。
【請求項３】
前記光学カバーは、前記ベース部の短辺と平行な辺を短辺とする長尺状とされ、その長辺の各々に前記被取付部が設けられていることを特徴とする請求項２に記載の発光モジュール。
【請求項４】
前記被取付部は、前記取付部に係合する爪部を有し、
前記爪部は、前記光学カバーの長辺に沿って伸びていることを特徴とする請求項３に記載の発光モジュール。
【請求項５】
請求項１乃至請求項４のいずれか一項に記載された発光モジュールを備えたことを特徴とする照明器具。
【請求項６】
矩形平板状の光源部と、前記光源部を着脱可能に装着する矩形平板状のベース部と、を備えた発光モジュールであって、
前記ベース部は、前記光源部を装着する取付面における対峙する二辺に亘って設けられ前記光源部の保持に用いられる一対の被係合部と、前記取付面を貫通して設けられ該取付面の裏側から前記光源部への給電及び調光信号伝達に用いられる電線を通すための穴と、を有し、
前記光源部は、前記ベース部に装着される装着面に、前記電線と接続される端子部と、前記一対の被係合部と係合する一対の係合部と、を有し、
前記一対の係合部は、前記一対の被係合部と係合した後に、該一対の被係合部に沿ってスライド可能となっていることを特徴とする発光モジュール。
【請求項７】
前記端子部は、前記電線が差し込まれる電線差込口を有し、
前記電線差込口は、前記装着面と平行な方向に開口していることを特徴とする請求項６に記載の発光モジュール。
【請求項８】
前記端子部は、前記電線が差し込まれる電線差込口を有し、
前記電線差込口は、前記装着面に直交する方向に開口していることを特徴とする請求項６に記載の発光モジュール。
【請求項９】
前記端子部は、前記装着面に立設され、
前記穴は、前記光源部を前記ベース部に装着したときに前記端子部と相対する位置に配置され、該端子部の外径よりも大きい外径を有することを特徴とする請求項８に記載の発光モジュール。
【請求項１０】
前記端子部は、前記一対の係合部間の中間位置に配置されていることを特徴とする請求項９に記載の発光モジュール。
【請求項１１】
請求項６乃至請求項１０のいずれか一項に記載された発光モジュールを備えたことを特徴とする照明器具。
【請求項１２】
平板状の光源部と、前記光源部を着脱可能に装着する長尺な矩形平板状のベース部と、を備えた発光モジュールであって、
前記光源部は、前記ベース部に装着される装着面に、前記ベース部への装着に用いられる板バネを有し、
前記板バネは、前記装着面に固定された基部と、前記基部から互いに反対側の方向に広がる一対のバネ部と、を有するＶ字形状とされ、
前記ベース部は、前記光源部を装着する取付面に、前記一対のバネ部が互いに接するように折り畳まれた状態の前記板バネを通す大きさに構成された孔を有することを特徴とする発光モジュール。
【請求項１３】
前記孔は、矩形状とされ、その各辺が前記ベース部の各辺と平行となっていることを特徴とする請求項１２に記載の発光モジュール。
【請求項１４】
前記一対のバネ部は、前記光源部を前記ベース部に装着したときに、前記ベース部の長手方向に沿って伸びていることを特徴とする請求項１２又は請求項１３に記載の発光モジュール。
【請求項１５】
前記板バネは、前記一対のバネ部の先端に設けられ前記光源部側に折り曲げられた一対の屈曲部を更に有することを特徴とする請求項１２乃至請求項１４のいずれか一項に記載の発光モジュール。
【請求項１６】
前記ベース部は、その長辺の各々に沿って前記取付面側に折り曲げられた一対の壁部を有し、
前記光源部は、前記装着面に前記一対の壁部に当接する凸部を有することを特徴とする請求項１２乃至請求項１５のいずれか一項に記載の発光モジュール。
【請求項１７】
前記板バネは、一の前記光源部に複数設けられていることを特徴とする請求項１２乃至請求項１６のいずれか一項に記載の発光モジュール。
【請求項１８】
請求項１２乃至請求項１７のいずれか一項に記載された発光モジュールを備えたことを特徴とする照明器具。
【発明の詳細な説明】
【技術分野】
【０００１】
本発明は、有機ＥＬ素子を光源とする発光モジュール及びそれを用いた照明器具に関する。
【背景技術】
【０００２】
有機ＥＬ素子は、低電圧で高輝度な光を出射し、また、含有する有機化合物の種類によって様々な色の光を出射する平板状の発光素子である。このような有機ＥＬ素子を光源とする発光装置（発光モジュール）として、基材と、基材の中央に設けられた有機ＥＬ素子と、有機ＥＬ素子の周囲に設けられ有機ＥＬ素子に給電するための電極パッドと、を備えたものが知られている（例えば、特許文献１参照）。
【先行技術文献】
【特許文献】
【０００３】
【特許文献１】特開２０１２−１８２１２９号公報
【発明の概要】
【発明が解決しようとする課題】
【０００４】
上述したような発光モジュールでは、有機ＥＬ素子が設けられた領域が、光を放射する発光領域となり、この発光領域周囲の電極パッドが設けられた領域が、光を放射しない非発光領域となる。そのため、このような発光モジュールを互いに隣接して複数配置した場合には、発光面が、発光領域と非発光領域との入り混じったものとなるので、輝度むらが目立って見栄えが悪くなる。
【０００５】
本発明は、上記課題を解決するものであって、有機ＥＬ素子を光源とする発光モジュールにおいて、複数の発光モジュールを互いに隣接して配置した場合でも、発光面の輝度むらが目立ち難く見栄えの良い発光モジュールを提供することを目的とする。
【課題を解決するための手段】
【０００６】
本発明の発光モジュールは、矩形平板状の複数の光源部と、前記複数の光源部を直線状に配置した状態で装着する長尺な矩形平板状のベース部と、を備え、前記光源部から出射された光を拡散する平面視矩形状の光学カバーを更に備え、前記光学カバー及び複数の光源部における前記ベース部の短辺と平行な辺の長さは、該ベース部の短辺の長さと等しく、前記光学カバーは、前記複数の光源部を一括して覆っていることを特徴とする。
【０００７】
前記複数の光源部又はベース部は、前記光学カバーの取り付けに用いられる取付部を有し、前記光学カバーは、前記取付部に着脱可能に取り付けられる被取付部を有することが好ましい。
【０００８】
前記光学カバーは、前記ベース部の短辺と平行な辺を短辺とする長尺状とされ、その長辺の各々に前記被取付部が設けられていることが好ましい。
【０００９】
前記被取付部は、前記取付部に係合する爪部を有し、前記爪部は、前記光学カバーの長辺に沿って伸びていることが好ましい。
【００１０】
本発明の別の発光モジュールは、矩形平板状の光源部と、前記光源部を着脱可能に装着する矩形平板状のベース部と、を備え、前記ベース部は、前記光源部を装着する取付面における対峙する二辺に亘って設けられ前記光源部の保持に用いられる一対の被係合部と、前記取付面を貫通して設けられ該取付面の裏側から前記光源部への給電及び調光信号伝達に用いられる電線を通すための穴と、を有し、前記光源部は、前記ベース部に装着される装着面に、前記電線と接続される端子部と、前記一対の被係合部と係合する一対の係合部と、を有し、前記一対の係合部は、前記一対の被係合部と係合した後に、該一対の被係合部に沿ってスライド可能となっていることを特徴とする。
【００１１】
前記端子部は、前記電線が差し込まれる電線差込口を有し、前記電線差込口は、前記装着面と平行な方向に開口していることが好ましい。
【００１２】
前記端子部は、前記電線が差し込まれる電線差込口を有し、前記電線差込口は、前記装着面に直交する方向に開口していることが好ましい。
【００１３】
前記端子部は、前記装着面に立設され、前記穴は、前記光源部を前記ベース部に装着したときに前記端子部と相対する位置に配置され、該端子部の外径よりも大きい外径を有することが好ましい。
【００１４】
前記端子部は、前記一対の係合部間の中間位置に配置されていることが好ましい。
【００１５】
本発明の更に別の発光モジュールは、平板状の光源部と、前記光源部を着脱可能に装着する長尺な矩形平板状のベース部と、を備え、前記光源部は、前記ベース部に装着される装着面に、前記ベース部への装着に用いられる板バネを有し、前記板バネは、前記装着面に固定された基部と、前記基部から互いに反対側の方向に広がる一対のバネ部と、を有するＶ字形状とされ、前記ベース部は、前記光源部を装着する取付面に、前記一対のバネ部が互いに接するように折り畳まれた状態の前記板バネを通す大きさに構成された孔を有することを特徴とする。
【００１６】
前記孔は、矩形状とされ、その各辺が前記ベース部の各辺と平行となっていることが好ましい。
【００１７】
前記一対のバネ部は、前記光源部を前記ベース部に装着したときに、前記ベース部の長手方向に沿って伸びていることが好ましい。
【００１８】
前記板バネは、前記一対のバネ部の先端に設けられ前記光源部側に折り曲げられた一対の屈曲部を更に有することが好ましい。
【００１９】
前記ベース部は、その長辺の各々に沿って前記取付面側に折り曲げられた一対の壁部を有し、前記光源部は、前記装着面に前記一対の壁部に当接する凸部を有することが好ましい。
【００２０】
前記板バネは、一の前記光源部に複数設けられていることが好ましい。
【００２１】
本発明の照明器具は、上記発光モジュールを備えたことを特徴とする。
【発明の効果】
【００２２】
本発明によれば、発光領域から出射された光の一部が、光学カバーにより拡散されて非発光領域の正面方向に照射されるので、複数の発光モジュールを互いに隣接して配置した場合でも、発光面の輝度むらを目立ち難くして見栄えを良くすることができる。
【図面の簡単な説明】
【００２３】
【図１】本発明の第１実施形態に係る発光モジュールの分解斜視図。
【図２】（ａ）は図１のＩ−Ｉ線断面図、（ｂ）は（ａ）の一点鎖線で囲んだ領域の拡大図。
【図３】（ａ）は図１の一点鎖線で囲んだ領域の拡大図、（ｂ）は図１の破線で囲んだ領域の拡大図。
【図４】（ａ）（ｂ）は、図３（ａ）に示した被取付部を図３（ｂ）に示した取付部に取り付けるときの動作を示す図。
【図５】２つの上記発光モジュールをベース部の長辺を介して互いに隣接して配置したときの平面図。
【図６】２つの上記発光モジュールをベース部の短辺を介して互いに隣接して配置したときの平面図。
【図７】上記実施形態の第１変形例に係る発光モジュールの側断面図。
【図８】上記実施形態の第２変形例に係る発光モジュールの分解斜視図。
【図９】（ａ）は図８の一点鎖線で囲んだ領域の拡大図、（ｂ）は図８の破線で囲んだ領域の拡大図。
【図１０】（ａ）（ｂ）は、図９（ａ）に示した被取付部を図９（ｂ）に示した取付部に取り付けるときの動作を示す図。
【図１１】上記発光モジュールにおいて２つの光源部の配置を互いに入れ替えたときの分解斜視図。
【図１２】上記実施形態の第３変形例に係る発光モジュールの分解斜視図。
【図１３】（ａ）は図１２の一点鎖線で囲んだ領域の拡大図、（ｂ）は図１２の破線で囲んだ領域の拡大図。
【図１４】（ａ）（ｂ）は、図１３（ａ）に示した被取付部を図１３（ｂ）に示した取付部に取り付けるときの動作を示す図。
【図１５】第２実施形態に係る発光モジュールの分解斜視図及びその一部拡大図。
【図１６】図１５のＩ−Ｉ線断面図。
【図１７】（ａ）乃至（ｅ）は、上記発光モジュールを施工面に取り付けるときの手順を示す図。
【図１８】上記実施形態の変形例に係る発光モジュールの分解斜視図及びその一部拡大図。
【図１９】図１８のＩ−Ｉ線断面図。
【図２０】（ａ）乃至（ｄ）は、上記発光モジュールを施工面に取り付けるときの手順を示す図。
【図２１】第３実施形態に係る発光モジュールをベース部側から見た分解斜視図。
【図２２】上記発光モジュールを光源部側から見た分解斜視図。
【図２３】上記発光モジュールの斜視図。
【図２４】図２３のＩ−Ｉ線断面図。
【図２５】複数の上記発光モジュールをベース部の長辺を介して互いに隣接して配置したときの平面図。
【図２６】上記実施形態の変形例に係る発光モジュールの分解斜視図。
【図２７】上記発光モジュールの斜視図。
【発明を実施するための形態】
【００２４】
本発明の第１実施形態に係る発光モジュールについて図１乃至図６を参照して説明する。本発光モジュールは、住居や店舗等で使用される照明器具を構成する。
【００２５】
図１に示すように、発光モジュール１は、複数の光源部２と、これら光源部２を着脱可能に装着するベース部３と、光源部２から出射された光を拡散する光学カバー４と、を備える。複数の光源部２は、それぞれ矩形平板状に形成されている。ベース部３は、長尺な矩形平板状に形成されている。光学カバー４は、平面視において矩形状に形成されている。光源部２及び光学カバー４におけるベース部３の短辺と平行な辺の長さは、ベース部３の短辺の長さとほぼ等しい。以下では、光源部２においてベース部３の短辺と平行な辺をＳ１、Ｓ２といい、辺Ｓ１、Ｓ２と直交する辺をＳ３、Ｓ４という。
【００２６】
図例では、光源部２は、４つの光源部２ａ、２ｂ、２ｃ、２ｄから成る。光源部２ａ乃至２ｄは、互いに同じ大きさに形成され、辺Ｓ１、Ｓ２を介して互いに隣接して直線状に配置されている。光源部２ａ乃至２ｄにおいて、ベース部３に相対する面は、ベース部３に装着される装着面２Ａとなっており、装着面２Ａとは反対側の面は、光を発する発光面２Ｂとなっている。
【００２７】
光源部２ａ乃至２ｄは、それぞれの装着面２Ａに、光源部２のベース部３への装着に用いられる係合部２１及び保持部２２と、光源部２への給電及び調光信号伝達に用いられる端子５と、を有する。図例では、係合部２１は、辺Ｓ３の中央に１つ設けられ、保持部２２は、辺Ｓ４に亘って１つ設けられている。
【００２８】
端子５は、辺Ｓ１に設けられ外部から光源部２へ入力するための入力端子５１と、辺Ｓ２に設けられ光源部２から外部へ出力するための出力端子５２と、により構成されている。入力端子５１は、外部から光源部２への給電に用いられる陽極端子５１ａ及び陰極端子５１ｂと、外部から光源部２への調光信号入力に用いられる信号端子５１ｃと、により構成されている。出力端子５２は、光源部２から外部への給電に用いられる陽極端子５２ａ及び陰極端子５２ｂと、光源部２から外部への調光信号伝達に用いられる信号端子５２ｃと、により構成されている。光源部２ａ乃至２ｄの各々において、陽極端子５１ａと陽極端子５２ａとは、配線パターン（不図示）により互いに電気的に接続されている。同様に、陰極端子５１ｂと陰極端子５２ｂ及び信号端子５１ｃと信号端子５２ｃも、それぞれ電気的に接続されている。
【００２９】
ベース部３において、光源部２と相対する面は、光源部２を装着する取付面３Ａとなっており、取付面３Ａとは反対側の面は、ベース部３を天井や壁等の施工面に取り付けるための設置面３Ｂとなっている。ベース部３は、その取付面３Ａに、光源部２の係合部２１と係合する被係合部３１と、光源部２の保持部２２と係合する被保持部３２と、を有する。被係合部３１及び被保持部３２は、それぞれベース部３の各長辺に亘って設けられ、ベース部３の短手方向における端部を取付面３Ａ側に折り曲げ加工することで形成されている。ベース部３は、例えば、所定の剛性を有するアルミニウム板又は鋼板をプレス加工及び切削加工することで形成される。
【００３０】
また、ベース部３は、ベース部３への光学カバー４の取り付けに用いられる複数の取付部３３を有する。複数の取付部３３は、被係合部３１及び被保持部３２に設けられ、図例では、被係合部３１及び被保持部３２の各々にそれぞれ２つずつ設けられている。
【００３１】
また、ベース部３は、光源部２の端子５と電気的に接続されるコネクタ６を有する。コネクタ６は、外部と光源部２ａの入力端子５１とを接続する入力コネクタ６１と、光源部２ａ、２ｂを互いに接続する中継コネクタ６２と、光源部２ｂ、２ｃを互いに接続する中継コネクタ６３と、を有する。また、コネクタ６は、光源部２ｃ、２ｄを互いに接続する中継コネクタ６４と、光源部２ｄの出力端子５２を保護するエンドキャップ６５と、を有する。これら入力コネクタ６１、中継コネクタ６２乃至６４及びエンドキャップ６５の各々は、その外表面が絶縁材料により構成され、端子５が外部に露出しないように端子５を覆っている。これにより、例えば、光源部２をベース部３に装着するときの感電事故やトラッキング現象を防止することができる。
【００３２】
入力コネクタ６１は、外部から光源部２ａへ給電するための陽極線及び陰極線（共に不図示）が差し込まれる陽極線差込口６１ａ及び陰極線差込口６１ｂを有する。また、入力コネクタ６１は、外部から光源部２ａへ調光信号を入力するための信号線（不図示）が差し込まれる信号線差込口６１ｃを有する。これら差込口６１ａ乃至６１ｃに差し込まれた陽極線、陰極線及び信号線は、それぞれ陽極端子５１ａ、陰極端子５１ｂ及び信号端子５１ｃと電気的に接続される。
【００３３】
中継コネクタ６２は、光源部２ａの陽極端子５２ａと光源部２ｂの陽極端子５１ａとを互いに電気的に接続する。同様に、中継コネクタ６２は、光源部２ａの陰極端子５２ｂと光源部２ｂの陰極端子５１ｂ及び光源部２ａの信号端子５２ｃと光源部２ｂの信号端子５１ｃを、それぞれ電気的に接続する。これにより、光源部２ａ、２ｂは、互いに導通される。この中継コネクタ６２と同様にして、中継コネクタ６３、６４は、それぞれ光源部２ｂ、２ｃ及び光源部２ｃ、２ｄを互いに導通させる。
【００３４】
エンドキャップ６５は、感電事故やトラッキング現象を防止するために、単に光源部２ｄの端子５２ａ乃至５２ｃを覆い隠している。
【００３５】
光学カバー４は、光源部２ａ乃至２ｄの発光面２Ｂを一括して覆っている。光学カバー４は、光源部２ａ乃至２ｄに相対して設けられた長尺な矩形平板状の平板部４１と、平板部４１の各長辺から一の方向（図例では下方）に伸びる一対の足部４２と、を有する。また、光学カバー４は、足部４２の下端部に設けられベース部３の取付部３３に着脱可能に取り付けられる複数の被取付部４３と、平板部４１に分散され光を拡散する拡散剤４０と、を有する。拡散剤４０は、例えば、粒子状二酸化チタン、粒子状二酸化ケイ素又は粒子状セラミックにより構成される。光学カバー４は、例えば、ポリカーボネート樹脂、アクリル樹脂又はポリスチレン樹脂といった透光性及び電気絶縁性を有する樹脂を基材として構成されている。なお、光学カバー４は、拡散剤４０を内含することで光を拡散する構成に限定されず、例えば、平坦部４１の表面に微細な凹凸を設けたり又は同表面に光を拡散するシートを貼着することで光を拡散する構成とされてもよい。
【００３６】
図２（ａ）に示すように、光源部２は、平板状の有機ＥＬ素子２３と、有機ＥＬ素子２３の周囲に配置され有機ＥＬ素子２３に給電するための電極パッド２４と、を有する。有機ＥＬ素子２３が設けられた領域は、光を出射する発光領域となり、電極パッド２４が設けられた領域は、光を出射しない非発光領域となる。ここで、図２（ｂ）に示すように、有機ＥＬ素子２３から出射した光の一部（光路を破線矢印で示す）は、拡散剤４０により拡散されて非発光領域の正面方向に照射される。これにより、発光領域における照射光輝度と非発光領域における照射光輝度との差が小さくなるので、発光面２Ｂの輝度むらが目立ち難くなって発光モジュール１の見栄えを良くすることができる。
【００３７】
図３（ａ）に示すように、被取付部４３は、足部４２から下方に伸びる柱状の基部４４と、基部４４の下端部に設けられ取付部３３と係合する爪部４５と、を有する。基部４４は、所定の応力がかかったときに弾性変形可能な材料により構成されている。爪部４５は、光学カバー４の長手方向に沿って伸び、基部４４の下端部から斜め上方に向かって傾斜した傾斜部４６と、傾斜部４６の上端部４７から基部４４の方向に伸び取付部３３に係止される係止部４８と、を有する。光学カバー４の各長辺に設けられた２つの被取付部４３は、各々の爪部４５が互いに対向するようにして配置されている（図１参照）。
【００３８】
図３（ｂ）に示すように、取付部３３は、被係合部３１（又は被保持部３２）に設けられた矩形状の切り欠き３３ａと、切り欠き３３ａの上端部から長手方向に沿って切り欠き３３ａを一部塞ぐように伸びる一対の伸長部３３ｂと、を有する。
【００３９】
図４（ａ）に示すように、取付部３３に被取付部４３を取り付けるには、まず、被取付部４３の傾斜部４６が、一方の伸長部３３ｂに当接されるように、被取付部４３を取付部３３に近づける。そうすると、伸長部３３ｂにより傾斜部４６が押圧され、基部４４（被取付部４３）が弾性変形しつつ（弾性変形した被取付部４３を破線で示す）、被取付部４３が、取付部３３の方に押し込まれる。そして、傾斜部４６の上端部４７が伸長部３３ｂを乗り越えた時点で、弾性変形した被取付部４３が元の形状に戻り、図４（ｂ）に示すように、係止部４８が伸長部３３ｂに係合する。
【００４０】
上記のように構成された発光モジュール１によれば、ベース部３の短辺長さ及び光学カバー４の短辺長さが、光源部２の辺Ｓ１、Ｓ２の長さとほぼ等しい。そのため、図５に示すように、例えば、２つの発光モジュール１（一方の発光モジュール１をドットで示す）をそれぞれの長辺を介して互いに隣接して配置したときに、一方の発光モジュール１の光源部２と他方の発光モジュール１の光源部２とが互いに近接する。これにより、発光モジュール１間で生じ得る非発光領域を小さくすることができる。また、各々の光源部２から出射された光は、光学カバー４により拡散されて非発光領域の正面方向にも照射されるので、２つの発光モジュール１全体として均一な光照射面を得ることができる。これにより、発光モジュール１及び発光モジュール１を備えた照明器具の見栄えを良くすることができる。
【００４１】
また、図６に示すように、例えば、２つの発光モジュール１（一方の発光モジュール１をドットで示す）をそれぞれの短辺を介して互いに隣接して配置した場合には、光学カバー４は、２つの発光モジュール１にまたがるように配置され、一括して光源部２を覆う。これにより、各々の発光モジュール１において隣り合う光源部２同士の境界を目立たなくすると共に、隣り合う発光モジュール１同士の境界も目立たなくすることができる。
【００４２】
また、光学カバー４がベース部３に対して着脱可能となっているので、例えば、調光用の蛍光体を含有した光学カバー４や着色した光学カバー４を用意しておき、発光モジュール１の用途に応じて光学カバー４を付け替えるようにしてもよい。また、被取付部４３が、光学カバー４の長辺に２つ設けられているので、光学カバー４のベース部３への取り付けが簡単になり、且つ光学カバー４の取り付け安定性を向上させることができる。更に、被取付部４３の爪部４５が、光学カバー４の長辺に沿って伸びているので、光学カバー４の短辺を可能な限り短くして、被取付部４３を設けることで非発光領域が生じるのを防ぐことができる。
【００４３】
次に、上記実施形態の第１変形例に係る発光モジュールについて図７を参照して説明する。発光モジュール１１は、上述した発光モジュール１を基に、被取付部４３及び取付部３３の形状を変更したものである。発光モジュール１１では、被取付部４３の爪部４５が、光学カバー４の短手方向に沿った内方側に伸びている。また、取付部３３は、ベース部３を折り曲げて形成された被係合部３１及び被保持部３２の外側面により構成されている。これにより、上述した発光モジュール１のように、ベース部３の被係合部３１及び被保持部３２に切り欠き加工を施して取付部３３を設ける必要がなくなるので、発光モジュール１よりも簡易な構成で、光学カバー４をベース部３に取り付けることができる。
【００４４】
次に、上記実施形態の第２変形例に係る発光モジュールについて図８乃至図１０を参照して説明する。図８に示すように、発光モジュール１２は、上述した発光モジュール１を基に、取付部３３の形状を変更したものである。発光モジュール１２では、取付部３３が、光源部２の辺Ｓ３、Ｓ４の側面に掘り込み形成されており、図例では、光源部２ａ、２ｂの辺Ｓ３、Ｓ４に、取付部３３が１つずつ形成されている。なお、図８ではベース部３の図示を省略している。
【００４５】
図９（ａ）に示すように、被取付部４３は、上述した発光モジュール１の被取付部４３と同形状とされている。図９（ｂ）に示すように、取付部３３は、発光面２Ｂから被取付部４３の傾斜部４６と同じ斜度で傾斜した傾斜部３３ｃと、傾斜部３３ｃと連続して設けられ装着面２Ａの方向（図例では下方）に伸びる直線部３３ｄと、を有する。また、取付部３３は、直線部３３ｄの下端部３３ｅから傾斜部３３ｃの方に掘り込み形成され被取付部４３の係止部４８と係合する係止部３３ｆを有する。
【００４６】
図１０（ａ）に示すように、被取付部４３を取付部３３に取り付けるには、まず、被取付部４３の傾斜部４６が、取付部３３の傾斜部３３ｃに当接するように、被取付部４３を取付部３３の方に近づける。そうすると、傾斜部３３ｃにより傾斜部４６が押圧され（押圧方向を矢印で示す）、基部４４（被取付部４３）が弾性変形しつつ、被取付部４３が取付部３３の方に押し込まれる。そして、傾斜部４６の上端部４７が直線部３３ｄの下端部３３ｅを乗り越えた時点で、弾性変形した被取付部４３が元の形状に戻り、図１０（ｂ）に示すように、被取付部４３の係止部４８が取付部３３の係止部３３ｆに係合する。
【００４７】
上記のように構成された発光モジュール１２によれば、上述した発光モジュール１と同様の効果を得ることができる。
【００４８】
図１１に示すように、上述したような発光モジュール１２では、仮に光源部２ａ、２ｂの配置が互いに入れ替わったとすると、被取付部４３の爪部４５の向きと取付部３３の係止部３３ｆの向きとが一致しなくなる。そのため、このような場合には、光学カバー４を光源部２ａ、２ｂに取り付けることができない。そこで、上記実施形態の第３変形例に係る発光モジュールでは、光源部２ａ、２ｂの配置に依らず、光学カバー４を光源部２ａ、２ｂに取り付けることができるようにした。
【００４９】
本変形例に係る発光モジュールについて図１２乃至図１４を参照して説明する。図１２に示すように、発光モジュール１３は、上述した発光モジュール１２を基に、光学カバー４の被取付部４３及び光源部２ａ、２ｂの取付部３３の形状を変更したものである。
【００５０】
図１３（ａ）に示すように、被取付部４３は、基部４４の下端部から光学カバー４の長手方向に沿って互いに反対側の方向に伸びる一対の係止部４８ａ、４８ｂを有する。係止部４８ａ、４８ｂは、所定の応力がかかったときに弾性変形可能な材料により構成され、各々の先端に行くほど細く、且つ足部４２の方に湾曲した形状となっている。また、図１３（ｂ）に示すように、取付部３３は、一対の傾斜部３３ｃ、３３ｃ’と、一対の直線部３３ｄ、３３ｄ’と、一対の係止部３３ｆ，３３ｆ’と、を有する。これら傾斜部３３ｃ、３３ｃ’、直線部３３ｄ、３３ｄ’及び係止部３３ｆ，３３ｆ’は、それぞれ互いに対向して設けられている。
【００５１】
図１４（ａ）に示すように、被取付部４３を取付部３３に取り付けるには、まず、被取付部４３の係止部４８ａ、４８ｂが、それぞれ取付部３３の傾斜部３３ｃ、３３ｃ’に当接するように、被取付部４３を取付部３３の方に近づける。そうすると、傾斜部３３ｃ、３３ｃ’により係止部４８ａ、４８ｂが押圧され、被取付部４３が直線部３３ｄ、３３ｄ’間を通過することができるように、係止部４８ａ、４８ｂが弾性変形する。そして、係止部４８ａ、４８ｂが係止部３３ｆ，３３ｆ’に到達すると、図１４（ｂ）に示すように、係止部４８ａ、４８ｂの弾性変形が解除され、係止部４８ａ、４８ｂが係止部３３ｆ，３３ｆ’に係合する。
【００５２】
上記のように構成された発光モジュール１３によれば、上述した発光モジュール１と同様の効果を得ることができると共に、光源部２ａ、２ｂの配置に依らず、光学カバー４を光源部２ａ、２ｂに取り付けることができる。
【００５３】
なお、発光モジュール１、１１乃至１３では、被取付部４３が凸型に形成され、取付部３３が凹型に形成されたが、これとは逆に、被取付部４３が凹型に形成され、取付部３３が凸型に形成されてもよい。
【００５４】
従来から、複数の有機ＥＬ素子（光源部）と、これら有機ＥＬ素子を支持する基板（ベース部）と、を備えた照明器具が知られている（例えば、特開２０１２−１０４５０４号公報参照）。光源部への給電は、光源部に設けられた電極をベース部に埋設された電極に差し込むことで成される。このような照明器具では、光源部をベース部に装着した後は、光源部の電極がベース部の電極に差し込まれているので、光源部をベース部に対して移動させることができない。そこで、本発明の第２実施形態に係る発光モジュールでは、光源部をベース部に装着した後でも、光源部をベース部に対して移動させて位置調整可能とすることを目的としている。
【００５５】
本実施形態に係る発光モジュールについて図１５乃至図１７を参照して説明する。図１５及び図１６に示すように、発光モジュール１４では、光源部２に陽極線、陰極線及び信号線（以下、まとめて電線ということもある）又は送り線と直接に接続される端子部７が設けられている。なお、図１６では断面のハッチングを省略している。
【００５６】
図例では、光源部２は、２つの長尺な矩形平板状の光源部２ａ、２ｂにより構成されている。光源部２ａ、２ｂは、各々の短辺を介して互いに隣接して配置されている。以下の説明では、光源部２ａ、２ｂの一方及び他方の短辺をＳ１、Ｓ２とし、一方及び他方の長辺をＳ３、Ｓ４としている。
【００５７】
端子部７は、辺Ｓ１に設けられ外部から光源部２ａ、２ｂに入力するための入力端子部７ａと、辺Ｓ２に設けられ光源部２ａ、２ｂから外部へ出力するための出力端子部７ｂと、により構成されている。入力端子部７ａは、装着面２Ａの周縁部に配置され、外部からの陽極線、陰極線及び信号線の各電線が差し込まれる電線差込口７１ａ、７２ａ、７３ａを有する。電線差込口７１ａ、７２ａ、７３ａは、装着面２Ａと平行で且つ外方に向かって開口しており、各々に差し込まれた電線と電気的に接続される電線受部（不図示）を有する。出力端子部７ｂは、入力端子部７ａと同様に構成され、電線差込口７１ｂ、７２ｂ、７３ｂを有する。電線差込口７１ａの電線受部と電線差込口７１ｂの電線受部とは、光源部２ａ、２ｂに設けられた配線パターン（不図示）により互いに接続されている。同様にして、電線差込口７２ａと電線差込口７２ｂ及び電線差込口７３ａと電線差込口７３ｂとは、互いに接続されている。
【００５８】
光源部２ａの入力端子部７ａに接続される外部からの電線は、ベース部３を貫通して設けられた穴３４を通って、設置面３Ｂ側から取付面３Ａ側に引き込まれている。光源部２ａの出力端子部７ｂと光源部２ｂの入力端子部７ａとは、送り線により互いに接続されている。
【００５９】
光源部２ａ、２ｂは、辺Ｓ３、Ｓ４の各々に設けられ互いに同形状の一対の係合部２１ａ、２１ｂを有する。ベース部３は、各々の長辺に亘って設けられ互いに同形状の一対の被係合部３１ａ、３１ｂを有する。係合部２１ａ、２１ｂは、被係合部３１ａ、３１ｂの両方に係合可能となっており、被係合部３１ａ、３１ｂに係合した後に、被係合部３１ａ、３１ｂに沿ってスライド可能に構成されている。
【００６０】
上記のように構成された発光モジュール１４を施工面に取り付けるときの手順について図１７（ａ）乃至（ｅ）を参照して説明する。なお、本図では、図を単純にするために陽極線、陰極線及び信号線を一本の電線で示している。図１７（ａ）に示すように、まず、ベース部３の穴３４及び穴３４に対応して造営材（ドットで示す）に設けた穴Ｈを通して、外部と接続された電線を造営材の裏側から取付面３Ａ側に導出させた状態で、ベース部３を施工面に固定する。次いで、図１７（ｂ）に示すように、穴３４から導出された電線を光源部２ａの入力端子部７ａに接続し、また、送り線の一端を光源部２ａの出力端子部７ｂに接続した後、図１７（ｃ）に示すように、光源部２ａをベース部３に装着する。その後、図１７（ｄ）に示すように、送り線の他端を光源部２ｂの入力端子部７ａに接続してから、光源部２ｂをベース部３に装着する。最後に、図１７（ｅ）に示すように、光源部２ａ、２ｂをベース部３の長手方向に沿ってスライドさせて、例えば、穴３４を光源部２ａ、２ｂで隠すように光源部２ａ、２ｂの位置調整を行う。
【００６１】
上述したように、発光モジュール１４によれば、光源部２と外部との接続が電線を介して行われ、且つ係合部２１ａ、２１ｂが被係合部３１ａ、３１ｂに係合した後に被係合部３１ａ、３１ｂに沿ってスライド可能となっている。そのため、光源部２をベース部３に装着した後に、ベース部３に対して光源部２の位置調整を行うことができる。また、端子部７の電線差込口７１、７２、７３が装着面２Ａと平行な方向に開口しているので、これら電線差込口７１、７２、７３に電線を差し込んだときに電線が光源部２ａ、２ｂの厚み方向に撓まず、光源部２ａ、２ｂを薄型化することができる。更に、係合部２１ａ、２１ｂが、被係合部３１ａ、３１ｂの両方に係合可能となっているので、ベース部３に対する光源部２ａ、２ｂの装着向きを考慮する必要がなく操作性が良い。
【００６２】
次に、上記実施形態の変形例に係る発光モジュールについて図１８乃至図２０を参照して説明する。図１８に示すように、発光モジュール１５では、光源部２ａ、２ｂの装着面２Ａに端子部７が立設されている。端子部７は、機能的には、発光モジュール１４の入力端子部７ａと出力端子部７ｂとを互いに一体化したものである。端子部７は、電線差込口７１ａ、７２ａ、７３ａと、これら電線差込口７１ａ、７２ａ、７３ａの各々と電気的に接続された電線差込口７１ｂ、７２ｂ、７３ｂと、を有する。電線差込口７１ａ乃至７３ａ、７１ｂ乃至７３ｂは、装着面２Ａと直交する方向に開口している。また、端子部７は、一対の係合部２１ａ、２１ｂ間の中間位置に配置されている。
【００６３】
ベース部３の穴３４は、光源部２ａ、２ｂをベース部３に装着したときに、光源部２ａ、２ｂの端子部７と相対する位置に設けられた穴３４ａ、３４ｂにより構成されている。図例では、穴３４ａ、３４ｂは円形状に構成され、その直径は端子部７の外径よりも大きい。これにより、図１９に示すように、光源部２をベース部３に装着すると、端子部７は、穴３４を通ってベース部３の設置面３Ｂ側に突出する。ここで、端子部７が係合部２１ａ、２１ｂ間の中間位置に配置されているので、仮に係合部２１ａ、２１ｂが、それぞれ被係合部３１ｂ、３１ａに係合するように光源部２をベース部３に装着したとしても、端子部７は、上記と同様に設置面３Ｂ側に突出する。なお、図１９では断面のハッチングを省略している。
【００６４】
上記のように構成された発光モジュール１４を施工面に取り付けるときの手順について図２０（ａ）乃至（ｄ）を参照して説明する。まず、図２０（ａ）に示すように、外部に接続された電線及び光源部２ａ、２ｂを互いに導通させるための送り線の一端を、ベース部３の穴３４ａ及び穴３４ａに対応して造営材（ドットで示す）に設けた穴Ｈ１を通して造営材の裏側から取付面３Ａ側に導出させる。更に、ベース部３の穴３４ｂ及び穴３４ｂに対応して造営材（ドットで示す）に設けた穴Ｈ２を通して、送り線の他端を造営材の裏側から取付面３Ａ側に導出させ、この状態で、ベース部３を施工面に固定する。次いで、図２０（ｂ）に示すように、電線を光源部２ａの入力端子部７ａに接続すると共に、送り線の一端を光源部２ａの出力端子部７ｂに接続する。そして、図２０（ｃ）に示すように、これら入力端子部７ａ及び出力端子部７ｂを穴Ｈ１、３４ａに埋め込むようにして、光源部２ａをベース部３に装着する。その後、図２０（ｄ）に示すように、送り線の他端を光源部２ｂの入力端子部７ａに接続してから、光源部２ｂの入力端子部７ａ及び出力端子部７ｂを穴Ｈ２、３４ｂに埋め込むようにして、光源部２ｂをベース部３に装着する。最後に、端子部７が穴３４ａ、３４ｂ又は穴Ｈ１、Ｈ２内で動く範囲において、光源部２ａ、２ｂをベース部３の長手方向に沿ってスライドさせて、光源部２ａ、２ｂの位置調整を行う。
【００６５】
このように、発光モジュール１５によれば、上述した発光モジュール１４と同様に、光源部２をベース部３に装着した後に、ベース部３に対して光源部２の位置調整を行うことができる。また、電線差込口７１ａ乃至７３ａ、７１ｂ乃至７３ｂが、装着面２Ａと直交する方向に開口しているので、電線との結線作業がやり易い。また、光源部２をベース部３に装着すると、端子部７が穴３４ａ、３４ｂを通ってベース部３の設置面３Ｂ側に突出するので、穴３４ａ、３４ｂと施工面の穴Ｈ１、Ｈ２とを互いに位置合わせしておけば、端子部７を施工面に埋設することができる。これにより、光源部２ａ、２ｂ内に端子部７を有する上述の発光モジュール１４に比べて、発光モジュール１５を更に薄型化することができる。更に、端子部７が、係合部２１ａ、２１ｂの中間位置に配置され、且つ係合部２１ａ、２１ｂが、被係合部３１ａ、３１ｂの両方に係合可能となっているので、ベース部３に対する光源部２ａ、２ｂの装着向きを考慮する必要がなく操作性が良い。
【００６６】
従来から、平板状の光源部と、この光源部を着脱可能に装着する平板状の装着部（ベース部）と、を備えた照明装置が知られている（例えば、特開２０１２−１９９２１９号公報参照）。光源部は、ベース部に相対する面の一端及び他端に、ベース部への装着に用いられる係合部及び保持部を有する。ベース部は、光源部に相対する面に、光源部の係合部及び保持部とそれぞれ係合する被係合部及び被保持部を有し、被係合部は、被保持部の方にスライド可能に構成されている。このような照明装置では、係合部、保持部、被係合部及び被保持部といった多くの部材が、光源部のベース部への装着に関与し、また、被係合部がスライド可能となっている等、構成が複雑になっている。そこで、本発明の第３実施形態に係る発光モジュールでは、簡易な構成で光源部のベース部への着脱を可能とすることを目的としている。
【００６７】
本実施形態に係る発光モジュールについて図２１乃至図２５を参照して説明する。図例では、１つの長尺な矩形平板状の光源部２が、長尺な矩形平板状のベース部３に装着されている。
【００６８】
図２１及び図２２に示すように、発光モジュール１６は、上述したような係合部２１、保持部２２、被係合部３１及び被保持部３２を備えておらず、ベース部３への装着に用いられる板バネ８を光源部２の装着面２Ａの中央に有する。板バネ８は、装着面２Ａの中央に固定された基部８１と、基部８１から互いに反対側の方向に広がる一対のバネ部８２、８３と、バネ部８２、８３の端部にそれぞれ設けられ光源部２側に折り曲げられた一対の屈曲部８４、８５と、を有するＶ字形状となっている。
【００６９】
ベース部３は、取付面３Ａに、バネ部８２、８３が互いに接するように折り畳まれた状態の板バネ８を通す大きさに構成された孔３５を有する。孔３５は、矩形状に形成され、その各辺がベース部３の各辺と平行となるように設けられている。また、ベース部３は、その長辺の各々に沿って設けられ取付面３Ａ側に折り曲げられた一対の壁部３６、３７を有する。壁部３６、３７は、ベース部３に光源部２を装着するときに、ベース部３と光源部２との位置合わせに用いられる（後述参照）。光源部２は、光源部２をベース部３に装着したときに、壁部３６、３７の内側面に当接する凸部２５を装着面２Ａに有する。
【００７０】
光源部２をベース部３に装着するには、まず、バネ部８２、８３が互いに接するように折り畳んだ板バネ８を、ベース部３の孔３５に取付面３Ａ側から挿入する。そして、屈曲部８４、８５が孔３５を通りきった時点で板バネ８の折り畳みを解除すると、バネ部８２、８３が弾性力により互いに反対側に広がり、これにより、光源部２がベース部３の方に接近する。このとき、ベース部３に壁部３６、３７が設けられ、壁部３６、３７の内側面に当接する凸部２５が光源部２に設けられているので、壁部３６、３７がガイドとなって光源部２が正しい装着位置に配置される。光源部２をベース部３から取り外すには、バネ部８２、８３の弾性力に勝る力で光源部２をベース部３から引き離すように引っ張り、上記過程を逆の順序で行えばよい。
【００７１】
上記のようにして、図２３に示すように、広がったバネ部８２、８３がストッパとなって板バネ８が孔３５から脱落しなくなり、光源部２がベース部３に装着される。このとき、バネ部８２、８３は、ベース部３の長手方向に沿って伸びるように配置されている。このような状態で、仮に光源部２自身の重み等で再びバネ部８２、８３が折り畳まれ、板バネ８が孔３５から抜け落ちそうになったとしても、屈曲部８４、８５が孔３５の縁に引っかかり、光源部２がベース部３から脱落し難い。
【００７２】
上述したように、発光モジュール１６によれば、板バネ８を用いた簡易な構成で光源部２をベース部３に着脱可能に装着することができる。また、このベース部３への光源部２の装着と同時に、光源部２の端子５１、５２が、ベース部３の入力コネクタ６１及びエンドキャップ６５に差し込まれる（図２１参照）。この端子差し込みは、上述のように、壁部３６、３７がガイドとなってベース部３に対して光源部２が正しい装着位置に配置され、また、ベース部３への光源部２の装着が正面方向から行われるので、確実に行うことができる。
【００７３】
また、図２４に示すように、光源部２がベース部３に装着された後には、凸部２５が壁部３６、３７に当接し、且つ広がったバネ部８２、８３が孔３５の内側面に当接している。そのため、ベース部３に対する光源部２の位置ずれや、板バネ８を中心としたベース部３に対する光源部２の回転が防止される。
【００７４】
また、光源部２をベース部３に装着したときに、バネ部８２、８３がベース部３の長手方向に沿って配置されているので、図２５に示すように、複数の発光モジュール１６を各々の長辺を介して互いに隣接して配置しても、隣り合う板バネ８同士が接触しない。これにより、例えば、光源部２を大きくしてその重量が大きくなった場合でも、隣り合う板バネ８同士の干渉を気にすることなく、バネ部８２、８３を大きくして光源部２を確実にベース部３に装着することができる。
【００７５】
次に、上記実施形態の変形例に係る発光モジュールについて図２６及び図２７を参照して説明する。発光モジュール１７では、一つの光源部２に複数の板バネ８が設けられ、図例では、２つの板バネ８ａ、８ｂが設けられている。このように２つの板バネ８ａ、８ｂを設けることで、上述した発光モジュール１６に比べて、よりしっかりと光源部２をベース部３に装着し、また、より確実に光源部２のベース部３に対する位置ずれや回転を防止することができる。
【符号の説明】
【００７６】
１、１１乃至１７  発光モジュール
２、２ａ乃至２ｄ  光源部
２１、２１ａ、２１ｂ  係合部
２５  凸部
２Ａ  装着面
３  ベース部
３１、３１ａ、３１ｂ  被係合部
３Ａ  取付面
３３  取付部
３４、３４ａ、３４ｂ  穴
３５  孔
３６、３７  壁部
４  光学カバー
４３  被取付部
４５  爪部
７、７ａ、７ｂ  端子部
７１ａ、７２ａ、７３ａ、７１ｂ、７２ｂ、７３ｂ  電線差込口
８  板バネ
８１  基部
８２、８３  バネ部
８４、８５  屈曲部
【図１】
2015153592.tif 000003
【図２】
2015153592.tif 000004
【図３】
2015153592.tif 000005
【図４】
2015153592.tif 000006
【図５】
2015153592.tif 000007
【図６】
2015153592.tif 000008
【図７】
2015153592.tif 000009
【図８】
2015153592.tif 000010
【図９】
2015153592.tif 000011
【図１０】
2015153592.tif 000012
【図１１】
2015153592.tif 000013
【図１２】
2015153592.tif 000014
【図１３】
2015153592.tif 000015
【図１４】
2015153592.tif 000016
【図１６】
2015153592.tif 000017
【図１７】
2015153592.tif 000018
【図１９】
2015153592.tif 000019
【図２０】
2015153592.tif 000020
【図２１】
2015153592.tif 000021
【図２２】
2015153592.tif 000022
【図２３】
2015153592.tif 000023
【図２４】
2015153592.tif 000024
【図２５】
2015153592.tif 000025
【図２６】
2015153592.tif 000026
【図２７】
2015153592.tif 000027
【図１５】
2015153592.tif 000028
【図１８】
2015153592.tif 000029